(57)【要約】【課題】ネックストラップとハンドストラップの両方が取り付け可能で更にネックストラップ非使用時にはカメラ本体から取り付け部が突出しないストラップ取り付け部を具備する電子機器を提供すること。【解決手段】軸部材と軸部材を保持し該軸部材を回転軸として回転自在に本体部に取り付くストラップ取り付け部材であって、該ストラップ取り付け部材はストラップベルトを取り付ける為の第一の孔、及び該軸部材を貫通保持する一対の孔を有し、該第一の孔と該一対の孔は同一方向であり、更に一対の孔に跨る領域は軸部材の法線方向にストラップ紐が通るべく空間を有したことを特徴とする。【選択図】図１
2016133679.tif 000002
【特許請求の範囲】
【請求項１】
軸部材と軸部材を保持し該軸部材を回転軸として回転自在に本体部に取り付くストラップ取り付け部材であって、該ストラップ取り付け部材はストラップベルトを取り付ける為の第一の孔、及び該軸部材を貫通保持する一対の孔を有し、該第一の孔と該一対の孔は同一方向であり、更に一対の孔に跨る領域は軸部材の法線方向にストラップ紐が通るべく空間を有したことを特徴とするストラップ取り付け部を具備する電子機器。
【請求項２】
機器本体より第一の孔が突出する突出状態と、機器本体内に第一の孔が収納される収納状態において、回転を規制する回転規制部によりストラップ取り付け部材が回転規制されることを特徴とする請求項１に記載のストラップ取り付け部を具備する電子機器。
【請求項３】
収納状態において前記第一の孔を形成する領域の一部が機器本体よりも突出する突出部を有し、ストラップ取り付け部が回転し該突出部と機器本体面が同じ高さとなった場合には、前記回転規制部による回転規制が機能しないことを特徴とする請求項２に記載のストラップ取り付け部を具備する電子機器。
【請求項４】
ストラップ取り付け部の回転を１８０度に規制する回転規制部を有し、ストラップ取り付け部を常に前記第一の孔が機器本体より突出する方向へ付勢する回転付勢部材を有したことを特徴とする請求項２に記載のストラップ取り付け部を具備する電子機器。
【発明の詳細な説明】
【技術分野】
【０００１】
本発明は、ハンドストラップ等の着脱自在に取り付けられる携帯型電子機器のストラップ取り付け部に関し、特には機器に取り付ける部分がベルトタイプのネックストラップや紐タイプのハンドストラップであるカメラに関する。
【背景技術】
【０００２】
従来よりカメラのような携帯機器においては、使用者が不用意に機器を落下させてしまわぬように首にかけるタイプのネックストラップや、手を通せるタイプのハンドストラップが取り付くように機器側に取り付け部が構成されている。
【０００３】
しかしながら、特にネックストラップにおいては、カメラに取り付ける部分が幅広のベルトタイプとなっていることからカメラ側の取り付け部も大型化し本体より突出した形状となっている場合が多い。この突出した取り付け部が例えばカメラを鞄に入れて運んでいた際に鞄内の他の物を傷つけてしまうといったことがある。
【０００４】
またカメラ使用者の好みによってはカメラ使用時でもストラップを装着せず突出した取り付け部すら無い方がよいというニーズもある。
【０００５】
そこで、特許文献１には、非使用時には筺体内に収納され、ストラップを用いる場合にのみ筺体から突出させて使用することができるストラップ取り付け部が提案されている。
【先行技術文献】
【特許文献】
【０００６】
【特許文献１】特開平９−８８９３１号公報
【発明の概要】
【発明が解決しようとする課題】
【０００７】
ところで、カメラにおいて、ストラップとは前述のようにネックストラップと、ハンドストラップの大きく２種類がある。一般的には、一眼レフのような大きなカメラには取り付け部がカメラ左右に一対ありネックストラップを取り付けられるようになっており、逆に沈動式のレンズ鏡筒が内蔵されているようなコンパクトタイプのカメラにはグリップ側にハンドストラップ用の取り付け部が構成されている。
【０００８】
しかし、前述のようにネックストラップは、カメラに取り付ける部分が幅広のベルトタイプの為、カメラのネックストラップ取り付け部には長方形の孔が設けられており、一方、ハンドストラップは、カメラに取り付ける部分が比較的細い紐状となっている為、カメラのハンドストラップ取り付け部には小さい孔が設けられている。
【０００９】
その為、ネックストラップ取り付け部を備えたカメラにハンドストラップを取り付けようとしても長方形の孔長さ分遊びとなりハンドストラップがカメラに対して不安定にしか固定されず使い難い。
【００１０】
逆に、ハンドストラップ取り付け部を備えたカメラにネックストラップを取り付けようとしてもハンドストラップ取り付け用の小さい孔には幅広のベルト部を通すことができない。
【００１１】
そこで、本発明の目的は、ネックストラップとハンドストラップの両方が取り付け可能で更にネックストラップ非使用時にはカメラ本体から取り付け部が突出しないストラップ取り付け部を具備する電子機器を提供することにある。
【課題を解決するための手段】
【００１２】
上記の目的を達成するために、本発明のストラップ取り付け部を具備する電子機器は、軸部材と軸部材を保持し該軸部材を回転軸として回転自在に本体部に取り付くストラップ取り付け部材であって、該ストラップ取り付け部材はストラップベルトを取り付ける為の第一の孔、該軸部材を貫通保持する一対の孔を有し、該第一の孔と該一対の孔は同一方向であり、更に一対の孔に跨る領域は軸部材の法線方向にストラップ紐が通るべく空間を有したことを特徴とする。
【発明の効果】
【００１３】
本発明によれば、ネックストラップとハンドストラップの両方が取り付け可能で更にネックストラップ非使用時にはカメラ本体から取り付け部が突出しないストラップ取り付け部を具備する電子機器の提供を実現できる。
【図面の簡単な説明】
【００１４】
【図１】本実施の形態に係る軸部材とストラップ取り付け部材を示した図である。
【図２】本発明の形態に係る第一の実施例を示した図である。
【図３】本実施の形態に係る第一の実施例におけるロックピン近傍を示した断面図である。
【図４】本実施の形態に係る第二の実施例を示した図である。
【図５】本実施の形態に係る第二の実施例における回転角度規制部、回転付勢バネを示した図である。
【発明を実施するための形態】
【００１５】
以下、図面を用いて本発明に係る実施の形態を説明する。
【実施例】
【００１６】
図１は本実施の形態に係るストラップ取り付け部材と軸部材を示す図であり、図１ａに斜視図、図１ｂに断面図を示す。
【００１７】
図１ａにおいて、１は軸部材を示しステンレスで形成されている。２はストラップ取り付け部材を示し亜鉛ダイキャストで形成されており、ネックストラップのベルトを取り付けるための長方形の孔２−１を備え、軸部材１を保持する一対の孔２−２が長方形の孔２−１と同方向に設けられている。また、図１ｂの断面図に示すように、一対の孔２−２に跨る領域には２−３の空間が設けてある。
【００１８】
ストラップ取り付け部材２は軸部材１を回転軸として回動可能になっている。よって、軸部材１を機器本体側に固定し、ストラップ取り付け部材２を回転可能とさせることで突出時にはネックストラップのベルト部を２−１長方形の孔へ取り付けることができ、非装着時には突出部を機器本体内部へ収納することが出来ると共に、ストラップの紐部材を軸部材１に取り付けることも可能となっている。
【００１９】
図２は本実施の形態に係るストラップ取り付け部をカメラに適用した場合の主要部を示す第一の実施形態図であり、図２ａは突出時の状態、また図２ｂは収納時の状態を示している。
【００２０】
図２において、４は解除レバーを示し、後述するロックピンと連動しており、常にストラップ取り付け部材側へバネにより付勢されている。即ち、解除レバー４が図２ａ及び図２ｂの状態にある場合はロックピンがストラップ取り付け部材２の回転動作を規制しており不用意に回転することは無い。カメラ使用者は解除レバー４を矢印方向へ移動させることでロックピンの規制を解除しストラップ取り付け部材２を回転させることができる。
【００２１】
ところで、使用者が解除レバー４を移動させストラップ取り付け部材を回転させる場合、図２ａの状態から図２ｂの状態へはストラップ取り付け部材２の突出部を指で押しながら操作を行えるが、逆に図２ｂの状態から図２ａの状態へ回転させる場合は押したり摘んだりする部分が無い為操作が困難である。
【００２２】
そこで、図２ｂに示すようにストラップ取り付け部材２は収納状態においても両端５が外装３の面よりも突出している。これは使用者が解除レバー４を移動させながら両端の突出部５のどちらかを押し下げることで、回転動作を容易に行えるようにするためである。
【００２３】
続いて、図３を用いて解除レバー４に連動したロックピン６が回転規制を行う様子を説明する。図３ａは外装等を取り除いた状態のストラップ取り付け部材２の突出状態でのロックピン６の位置を示し、図３ｂは軸部材１を保持する部材を取り除いた状態において、突出部５をカメラ外装面まで押し下げた状態のロックピン６の位置を示す。
【００２４】
２−４はストラップ取り付け部材２に設けられた回転規制穴であり、付勢バネ７により解除レバー４に保持されたロックピン６は常にストラップ取り付け部材２側へ付勢されている為、ロックピン６が入り込んでいる。つまり、図３ａのように突出状態においてはロックピン６が回転規制穴２−４に入り込んでいる為、ストラップ取り付け部材２は回転することができない。また、収納状態においてもロックピン６が他方の回転規制穴２−４に入り込み回転を規制している。
【００２５】
図３ｂに示すように、解除レバー４をスライドさせ突出部５を矢印方向に外装３の面の高さまで押し下げたときは回転規制穴２−４とロックピン６とはずれた位置関係となる。これは即ち、図３ｂの状態で解除レバー４から指を離しても再びロックピン６が回転規制穴２−４に落ち込むことはないので、持ち上がる反対側の突出部を指で摘んで回転させることが可能となる。
【００２６】
以上述べたような簡単な構成でカメラ本体にストラップ取り付け部を収納することが可能となると共にネックストラップ、ハンドストラップのどちらでも取り付けることが可能なストラップ取り付け部を提供することができる。
【００２７】
次に、図４、図５を用いて本発明に係る第２の実施形態を説明する。図４ａは突出時の状態、図４ｂは収納時の状態を示している。図４ｂに示すように本実施形態においては収納時にストラップ取り付け部２の両端部と外装３の面とは同じ高さとなっている。これにより収納時の突出感を低減させることができている。
【００２８】
図５において、ａは突出状態での正面図、ｂ、ｃはそれに対応した断面図を示している。図５ｂに示すようにストラップ取り付け部２には回転規制溝２−５が設けてあり、軸保持部材８に設けられた回転規制凸部８−１が回動する領域を形成している。即ち、図５ｂの向きにおいてストラップ取り付け部２は突出状態から反時計回り方向へ約１８０度回転し収納状態となるまでの間隔のみ回動可能となっている。
【００２９】
次に、図５ｃに示すように回転規制溝と対向する側へは回転付勢バネ９が配置されている。回転付勢バネ９はトーションバネとなっており、片方の腕部がストラップ取り付け部２に設けられたバネかけ部２−６に引っかかっており、他方の腕が軸保持部材１０に保持されておりストラップ取り付け部２を常に図５ｃの向きで反時計回りの方向へ回転付勢している。
【００３０】
図４、図５の構成とすることで、使用者は図４ｂの収納状態から解除レバー４を移動させるだけで回転付勢バネの力により図４ａの突出状態にさせることが出来る。また図４ａの突出状態から図４ｂの収納状態へは突出部を指で押して回転させることで行え、使用者は非常に容易に操作可能となる。また付勢バネ７は導電性部材で形成されたストラップ取り付け部材２の電気的導通確保にも用いることができる。
【００３１】
以上述べたように、本発明による回転式ストラップ取り付け機構によれば、ネックストラップとハンドストラップの両方が取り付け可能で更にネックストラップ非使用時にはカメラ本体から取り付け部が突出しないストラップ取り付け部を提供することが可能となる。
【符号の説明】
【００３２】
１  軸部材、２  ストラップ取り付け部材、２−１  第一の孔、２−２  一対の孔、
２−３  空間、２−４  回転規制穴、２−５  回転規制溝、３  カメラ、
４  解除レバー、６  ロックピン、７  付勢バネ、８  軸保持部材、
８−１  回転規制凸部、９  回転付勢バネ
【図１】
2016133679.tif 000003
【図２】
2016133679.tif 000004
【図３】
2016133679.tif 000005
【図４】
2016133679.tif 000006
【図５】
2016133679.tif 000007